(57)【要約】【課題】  従来、３次元テーブルによる色補正方法では、グレイの色転びを防ぐためや、補間精度の向上のために格子点を増やす方法がとられてきたが、必要となるメモリ容量の増加が避けられない。  補間方法の一つとしてグレイ軸方向の２点を含む４点による四面体補間を行うことによりグレイの再現性が向上する。しかし、彩度の高い色での四面体補間では立方体補間に比べて標本点が半分の４点となるため補間精度を損なってしまい色再現範囲全域に渡って滑らかな階調性が再現できなかった。【解決手段】  複数の色信号からなる入力画像信号に対して色変換処理を行ない印刷するプリントシステムであって、３ＤＬＵＴによる色補正でグレイ近傍は四面体補間、それ以外は立方体補間を行なう。【選択図】  図１
2009118156.tif 000002
【特許請求の範囲】
【請求項１】
複数の色信号からなる入力画像信号に対して色変換処理を行ない印刷するプリントシステムであって、
色変換テーブルを用い補間演算を行なうことで前記入力画像信号のグレイ近傍の色信号に対する色変換処理を行なうグレイ近傍色変換処理手段と、
前記色変換テーブルを用い前記グレイ近傍色変換処理手段と異なる補間演算を行なうことで前記入力画像信号のグレイ近傍以外の色信号に対する色変換処理を行なうグレイ近傍以外色変換処理手段と、
前記入力画像信号の値がグレイ近傍であるか判定するグレイ近傍判定手段とを有し、
前記グレイ近傍判定手段による判定結果に基づいて、グレイ近傍色変換処理手段とグレイ近傍以外色変換処理手段を切り替えて色変換処理を行うことを特徴とするプリントシステム。
【請求項２】
請求項１に記載のプリントシステムにおいて、
グレイ近傍色変換処理手段は、前記色変換テーブルに含まれ、グレイ軸上もしくはグレイ軸と並行する同一直線上に位置する2点を含む4点からなる4面体補間演算であることを特徴とするプリントシステム。
【請求項３】
請求項１に記載のプリントシステムにおいて、
グレイ近傍以外色変換処理手段は、前記色変換テーブルに含まれる8点からなる立方体補間演算であることを特徴とするプリントシステム。
【請求項４】
請求項１に記載のプリントシステムにおいて、
入力画像の色信号がＲＧＢの３つの要素からなることを特徴とするプリントシステム。
【発明の詳細な説明】
【技術分野】
【０００１】
本発明は、カラー画像形成装置用の画像処理装置、画像処理方法及び画像処理プログラムに係り、とりわけ、カラー画像形成装置により構成されたプリントシステムに用いられている色変換処理の手法に関するものである。
【背景技術】
【０００２】
従来例として、３次元ダイレクトマッピングテーブルを用い、Ｌ＊ａ＊ｂ＊色空間からＣＭＹＫ色空間へ画像データを変換する方法であり、色空間内に存在する格子点のデータのみを用い、入力データが含まれる格子を構成する格子点のすべてが色空間内に含まれるときには８つの格子点のデータすべてを用いた８点補間を行ない、色空間の外側部分における格子では、色空間内の格子点データのみを用いた補間処理（たとえば４点補間）を行なう構成のものがある。（特許文献１参照）別の例として、デジタルカラー信号に非線形処理を行う非線形処理手段を有し、この非線形処理手段が、デジタルカラー信号がグレイ信号を含むグレイ領域近傍にあるか否かを判別するグレイ領域判別手段と、このグレイ領域判別手段によってデジタルカラー信号がグレイ領域近傍にあると判別されたグレイ領域内信号の場合とグレイ領域近傍にないと判別されたグレイ領域外信号の場合とに応じたそれぞれ異なる非線形処理を行う領域対応非線形処理手段とを有するものがある。（特許文献２参照）
【特許文献１】特開２００１−２５７８９９号公報
【特許文献２】特開２０００−１３４４９７号公報
【発明の開示】
【発明が解決しようとする課題】
【０００３】
近年のカラープリンタはその使用用途が多岐にわたり、さまざまな用紙種類（メディア）への印刷を可能にしている。普通紙によるビジネス文書の印刷をはじめ、光沢紙による写真のような自然画の印刷や、トレーシングペーパーによるＣＡＤ等による図面文書や、コート紙などによるＰＯＰ・チラシといったに加えて、アート紙によるＣＧ・モノクロ写真のようなアート作品も印刷され、色転びの発生しないグレイや、色再現範囲全域に渡って滑らかな階調性が望まれている。
【０００４】
従来、３次元テーブルによる色補正方法では、グレイの色転びを防ぐためや、補間精度の向上のために格子点を増やす方法がとられてきた。特開２０００−１３４４９７号公報ではグレイ近傍の格子点を増やすことでグレイの再現性を向上しようとしているが、必要となるメモリ容量の増加が避けられない。
【０００５】
補間方法の一つとしてグレイ軸方向の２点を含む４点による四面体補間を行うことによりグレイの再現性が向上する。しかし、彩度の高い色での四面体補間では立方体補間に比べて標本点が半分の４点となるため補間精度を損なってしまい色再現範囲全域に渡って滑らかな階調性が再現できなかった。
【課題を解決するための手段】
【０００６】
上記課題を解決するために、本発明は、
複数の色信号からなる入力画像信号に対して色変換処理を行ない印刷するプリントシステムであって、
色変換テーブルを用い四面体補間を行なうことで前記入力画像信号のグレイ近傍の色信号に対する色変換処理を行なうグレイ近傍色変換処理手段と、
前記色変換テーブルを用い立方体補間を行なうことで前記入力画像信号のグレイ近傍以外の色信号に対する色変換処理を行なうグレイ近傍以外色変換処理手段と、
前記入力画像信号の値がグレイ近傍であるか判定するグレイ近傍判定手段とを有し、
前記グレイ近傍判定手段による判定結果に基づいて、グレイ近傍色変換処理手段とグレイ近傍以外色変換処理手段を切り替えて色変換処理を行う。
【発明の効果】
【０００７】
本発明によれば、グレイ近傍は四面体補間を、グレイ近傍以外は立方体補間と切り替えて色変換処理を行うことによって、メモリ容量を増やすことなくグレイの再現性を向上し色再現範囲全域に渡って滑らかな階調性を再現した画像処理による印刷を行うことが可能になる。
【発明を実施するための最良の形態】
【０００８】
次に、本発明の詳細を実施例の記述に従って説明する。
【０００９】
以下説明する本発明の実施例では、ＲＧＢ画像データを入力して、プリンタで使用できる色材色に色分解して印刷を行うプリントシステムで、入力画像データＲＧＢの色再現特性とプリンタの色を合わせるためのカラーマッチング処理と、入力されてくる多値のＲ'Ｇ'Ｂ'画像データをＮ次元のルックアップテーブル（以下、ＬＵＴと記す）を使用して色分解する処理と、プリンタの色再現特性に応じた色材色毎の一次元ＬＵＴを介して階調特性を補正する処理を適用してプリントを行う。
【００１０】
カラーマッチング用パラメータ、色分解用Ｎ次元ＬＵＴ、階調補正用一次元ＬＵＴは用紙種類ごとに用意され、さらに、色分解用Ｎ次元ＬＵＴは用紙種類別に複数の最大インク量の異なるＬＵＴが用意されていている。
【実施例１】
【００１１】
図１は、本実施形態に係る画像形成システムのハードウエア構成の一例を示す図である。画像処理装置１００は、パーソナルコンピュータなどである。ＣＰＵ１０１は、オペレーティングシステム、アプリケーションプログラム及びドバイスドライバなどを実行することにより、画像処理装置１００の各部を統合的に制御する中央演算処理装置である。ＲＡＭ１０２は、ＣＰＵ１００のワークエリアを提供するメモリである。ＲＯＭ１０３は、ＢＩＯＳなどの起動プログラムなどを格納するメモリである。ＨＤＤ１０４は、ハードディスクドライブなどの固定記憶装置であり、アプリケーションプログラム、オペレーティングシステム及び各種ドライバプログラムなどのコンピュータプログラムに加え、テストパターン画像などの画像データなども記憶する。通信ＩＦ１０５は、ＵＳＢ、ＩＥＥＥ１３９４、有線ＬＡＮ又は無線ＬＡＮなどの外部の装置とデータ通信を行うためのインタフェースである。表示ＩＦ１０６は、外部又は内部に接続される表示装置１０９に画像情報などを表示制御するための制御部である。操作部１０７は、ポインティングデバイスやキー入力デバイスなどの入力デバイスである。プリンタ１０８は、インクジェット方式やレーザービーム方式により画像をメディア上に形成する画像形成装置である。表示装置１０９は、画像データなどを表示するための液晶ディスプレイなどである。
【００１２】
図２は、画像処理装置１００のソフトウエア構成の一例を示す図である。図１及び図２を用いて、印刷出力する際の流れについて説明する。印刷出力を行うプリンタ１０８としては一般的に普及しているインクジェットプリンタ等を用いることができる。出力画像データを印刷出力するときには、アプリケーション２０２からＯＳ２０１に印刷出力要求を行う。例えば、グラフィックスデータ部分はグラフィックス描画命令で構成され、イメージ画像データ部分はイメージ描画命令で構成される出力画像を示す描画命令群をＯＳ２０１に発行する。
【００１３】
ＯＳ２０１はアプリケーションの出力要求を受け、出力プリンタに対応するプリンタドライバ２０８に描画命令群を発行する。プリンタドライバ２０８はＯＳ２０１から入力した印刷要求と描画命令群を処理しプリンタ１０８で印刷可能な印刷データを作成してプリンタ１０８に転送する。プリンタ１０８がラスタープリンタである場合は、プリンタドライバ２０８では、ＯＳ２０１からの描画命令に対して順次画像補正処理を実行し、そして順次ＲＧＢ２４ビットページメモリに描画命令をラスタライズし、全ての描画命令をラスタライズした後にＲＧＢ２４ビットページメモリの内容をプリンタ１０８が印刷可能なデータ形式、例えばＣＭＹＫデータへと変換して、プリンタ１０８に転送する。
【００１４】
次に、プリンタドライバ２０８で行われる処理を図３を用いて説明する。画像補正処理部３０１は、ＯＳ２０１から入力した描画命令群に含まれる色情報に対して、画像補正処理を行う。この画像補正処理としては例えば、ＲＧＢ色情報を輝度・色差信号に変換し、輝度信号に対して露出補正処理を行い、補正された輝度・色差信号をＲＧＢ色情報に逆変換する。
【００１５】
プリンタ用補正処理部３０２は、まず画像補正処理されたＲＧＢ色情報によって描画命令をラスタライズし、ＲＧＢ２４ビットページメモリ上にラスター画像を生成し、色再現空間マッピングを行うカラーマッチング処理、色材色データへの色分解処理、ガンマ補正処理、ハーフトーン処理をおこなって各画素に対してプリンタの色再現性に依存した色材色データ（ＣＭＹＫ，ＣＭＹＫｃｍもしくはＣＭＹＫｃｍＲＧＢ）を生成し、印刷可能となった画像データをプリンタ１０８に転送する。
【００１６】
１．プリンタ用補正処理
図３は、プリンタドライバ２０８の内部処理構成を模式化した図である。プリンタ用補正処理部３０２における処理ついて詳細に説明する。図４は、プリンタ用補正処理部３０２の詳細ブロック構成の一例を示す図である。尚、以下においては説明の簡単のため、通常３次元で表される色空間を模式的に２次元で表現するものとする（図５等）。
【００１７】
まず、画像補正処理部３０１により、明るさ、コントラスト及び色調などを整えられたＲＧＢ各８ビットの画像データが、プリンタ用補正処理部３０２内の画像信号入力部４０１に入力される。画像信号入力部４０１に入力されたＲＧＢ各８ビットの画像データは、表示装置１０９上で再現される色に対応している。例えば、均等色空間であるＣＩＥＬ＊ａ＊ｂ＊表色系の座標値においては、（Ｌ＿Ｍｏｎｉｔｏｒ，ａ＿Ｍｏｎｉｔｏｒ，ｂ＿Ｍｏｎｉｔｏｒ）という色を画像データは表している。
【００１８】
ところが、図５からも分かるように、表示装置１０９の色再現空間とプリンタ１０８の色再現空間とは、例えばＬ＊ａ＊ｂ＊空間等の均等色空間上において一致してはいない。これは、図５に示されるプリンタの色再現空間外、かつ、表示装置の色再現空間内の領域（斜線部）はプリンタにおいて画像形成できないことになる。より具体的には、表示装置１０９上に表現された画像データに対して、後段の色分解処理部４０３でＲＧＢから色材色データへの変換を実行し、出力γ補正処理部４０４で階調補正処理を施し、ハーフトーン処理部４０５で二値化処理を実行した後、画像出力部４０６に出力したとしても、画像形成の不可能な領域、即ちプリンタ１０８において表現不可能な色空間上の領域(斜線部)が発生してしまう。
【００１９】
従ってプリンタ１０８側においては、表示装置１０９で再現可能で、且つプリンタ１０８で再現不可能な色空間上の領域（斜線部）について、擬似的な色（Ｌ＊ａ＊ｂ＊値）、即ち表示装置１０９の発色とは異なる擬似的な色を生成して印刷を行う必要がある。
【００２０】
以下、均等色空間としてＬ＊ａ＊ｂ＊空間を、円筒座標Ｈ（＝ａｔａｎ（ｂ／ａ）），Ｓ（＝ｓｑｒｔ（ａ＊２＋ｂ＊２）），Ｖ（＝Ｌ＊）に写したＨＳＶ空間を考え、該全空間について色空間圧縮を行う場合について説明する。ここで、ａｔａｎ（ｘ）はｘのアークタンジェントを求めるための関数である。また、ｓｑｒｔ（ｘ）は、√ｘを求めるための関数である。
【００２１】
２．カラーマッチング処理部
プリンタ用補正処理部３０２内のカラーマッチング処理部４０２においては、表示装置１０９の色再現空間（モニタガマット）において、プリンタ１０８で再現不可能な領域について圧縮を施すことにより、プリンタ１０８の色再現空間（プリンタガマット）内の点と対応付ける。即ち、カラーマッチング処理部４０２によって処理されたＲＧＢ各８ビットのデータは、プリンタ色再現空間上の点に対応したＲ'Ｇ'Ｂ'各８ビットのデータに変換される。
【００２２】
具体的には、カラーマッチング処理部４０２においては、以下の手順に従って表示装置１０９のＲＧＢ色信号空間からプリンタ１０８のＲ'Ｇ'Ｂ'色信号空間への変換を行う。
【００２３】
図４に示すカラーマッチング処理部４０２においては、Ｌ＊ａ＊ｂ＊空間上でモニタＲＧＢによるガマットがプリンタＲ'Ｇ'Ｂ'ガマットの内側に入るように、例えば明度Ｌ＊を保持したまま彩度Ｓ（＝ｓｑｒｔ（ａ＊×ａ＊＋ｂ＊×ｂ＊））を下げる等の処理を行うことにより圧縮する。この圧縮処理の例を図６に示す。
【００２４】
図６は、彩度（Ｓ）方向へのガマット圧縮をＳＶ平面において概念的に示す図である。該処理によって即ち、モニタＲＧＢ値に対応するプリンタガマット内のＬ＊ａ＊ｂ＊値の組が得られる。圧縮後のモニタガマットがプリンタガマットに収まるようになったら、例えば、色差ΔＥ（＝ｓｑｒｔ（（Ｌ＊'−Ｌ＊）２＋（ａ＊'−ａ＊）２＋（ｂ＊'−ｂ＊）２））が最小となるように、Ｌ＊ａ＊ｂ＊値をキーとして、モニタ（Ｒ，Ｇ，Ｂ）とプリンタ（Ｒ'，Ｇ'，Ｂ'）の組を決定することで、モニタＲＧＢ値に対応するプリンタＲ'Ｇ'Ｂ'値を求めることができる。尚、カラーマッチング処理部４０２を、ＬＵＴ（ルックアップテーブル）を使用して実現することももちろん可能である。
【００２５】
本実施形態では記録媒体（メディア）の種類によりプリンタガマットの大きさが異なるためマッチングテーブル部４０７にメディア毎のＬＵＴとして複数のマッチングテーブルを補間演算による3次元テーブルの形式で保持している。
【００２６】
３．色分解処理部
次に、プリンタ用補正処理部３０２内の色分解処理部４０３における処理について説明する。
【００２７】
色分解処理部４０３においては、カラーマッチング処理部４０２でプリンタ用のＲ'Ｇ'Ｂ'に変換された各色８ビットの信号を、プリンタの色材色に対応した色材色データ（ＣＭＹＫ，ＣＭＹＫｃｍもしくはＣＭＹＫｃｍＲＧＢ）各８ビットの信号値へと変換する。色分解処理の例としてＲ'Ｇ'Ｂ'からＣＭＹＫへの色信号の変換方法としては、例えばカラーマスキングによる方法が知られている。このカラーマスキングによる色変換方法を下式に示す。
【００２８】
Dr=-log(R/255)
Dr=-log(G/255)
Dr=-log(B/255)
【００２９】
【数１】
2009118156.tif 000003
これら数式を演算することにより、ＣＭＹ値が得られる。尚、Ｋ（ブラック）の信号値の決定方法としては様々な方法がある。例えば、上記行列式における最右辺を、そのベクトル要素のそれぞれからＫ値を引いたベクトル［Ｄｒ−ＫＤｇ−Ｋ Ｄｂ−Ｋ］ｔに置き換え、インク量に対応する各色信号値ＣＭＹが常に正または０であるという条件を利用してＫ値に拘束を加えつつ、試行鎖誤的にマスキングマトリクスを求めることにより、Ｋ値を決定することができる。尚、色分解処理部４０３をＬＵＴを使用して実現することももちろん可能である。
【００３０】
ＣＭＹＫｃｍもしくはＣＭＹＫｃｍＲＧＢの色分解テーブルは、ＲＧＢ−ＣＭＹＫ変換テーブルをベースに、色を置き換えていくことで作成可能である。たとえば（Ｃ，Ｍ，Ｙ，Ｋ）＝（０，２５５，２５５，０）の値を（Ｃ，Ｍ，Ｙ，Ｋ，ｃ，ｍ，Ｒ，Ｇ，Ｂ）＝（０，０，０，０，０，０，２５５，０，０）のように置き換える。
【００３１】
本実施形態では色分解テーブル部４０８に、メディアの種類ごとに最大インク量が異なる複数の色分解テーブルを、補間演算による3次元テーブルの形式で保持している。
【００３２】
４．出力ガンマ補正処理部
次に、プリンタ用補正処理部３０２内の出力ガンマ補正処理部４０４における処理について説明する。
【００３３】
出力ガンマ補正処理部４０４においては、入力画像の色信号をカラーマッチング処理部４０２及び色分解処理部４０３で順次変換して出力されたＮ色材色データ（ＣＭＹＫ，ＣＭＹＫｃｍもしくはＣＭＹＫｃｍＲＧＢ）各８ビットデータを、後段のハーフトーン処理部４０５において処理可能なデータへと変換し、Ｎ’色材色データ各８ビットデータを出力する。出力ガンマ補正処理部４０４は、明度に対する非線形特性を補償すべく、インク別に一次元のＬＵＴを用いた調整を行う。
【００３４】
本実施形態では、メディアの種類により明度の非線形特性が異なるため、ガンマ補正テーブル部４０９にメディア毎のＬＵＴとして複数のガンマ補正テーブルを各色別の１次元ＬＵＴの形式で保持している。
【００３５】
５．ハーフトーン処理部
次に、プリンタ用補正処理部３０２内のハーフトーン処理部４０５における処理について説明する。
【００３６】
ハーフトーン処理部４０５においては、入力画像の色信号をカラーマッチング処理部４０２、色分解処理部４０３及び出力ガンマ補正処理部４０４で順次変換され出力されたＮ’色材色データ各８ビットデータを、プリンタ１０８で印刷可能なＮ”色材色データ各２ビットデータへと変換する。
【００３７】
このハーフトーン処理方法としては、入力されたＮ’色材色データの画像に、例えばベイヤー型の１６×１６のマトリクスをそれぞれあてがい、このマトリクスの要素よりも対応する画像上の画素値が大きい場合には１、画素値が前記マトリクスの要素以下の場合には０とすることによって実現される。また、別のハーフトーン処理方法として誤差拡散法などを用いることもできる。
【００３８】
このようにして得られたプリンタで印刷可能なＮ”色材色データ各２ビットデータはプリンタ１０８に送られ、メディア上に画像形成される。
【００３９】
６．カラーマッチング補間演算処理
本実施例ではカラーマッチング処理を3次元テーブルの補間演算で行い、ＲＧＢの入力値がグレイ近傍であるかどうかで補間演算を切り替えている。
【００４０】
図７は本実施形態におけるカラーマッチング補間演算切り替え処理のフローチャートである。
【００４１】
ステップ７０１：入力画像信号の色信号ＲＧＢを入力する。
【００４２】
ステップ７０２：マッチングテーブルの３Ｄ−ＬＵＴからステップ７０１で入力したＲＧＢを含む単位立方体を構成する８点の補間データを取得する。
【００４３】
ステップ７０３：ステップ７０２で抽出した単位立方体がグレイ軸近傍であるか判定し補間演算を切り替える。図８は立方体補間を用いたRGB軸の3次元テーブルの概念を示す図である。図９は3次元テーブルにおけるグレイ軸近傍に該当する単位立方体の概念を示す図である。判定方法として、単位立方体の８点にグレイ軸が含まれるか、もしくは、単位立方体の８点とグレイ軸からの距離が所定の値を超えない場合をグレイ近傍であると判定する。
【００４４】
ステップ７０４：ステップ７０３でグレイ軸近傍以外であると判定された８点により立方体補間を行う。（詳細は７．立方体補間演算を参照）
ステップ７０５：ステップ７０３でグレイ軸近傍であると判定された８点から更に、ＲＧＢを含む４点を抽出し四面体補間を行う。（詳細は８．四面体補間演算を参照）
ステップ７０６：ステップ７０４、ステップ７０５の補間演算によるカラーマッチング処理済みの色信号R'G'B'を出力する。
【００４５】
７．立方体補間演算
図８は立方体補間を用いたRGB軸の3次元テーブルの概念を示す図である。格子点には出力値が予め記憶されている。図１０は3次元テーブルの単位立方体と、立方体補間の概念を示す図である。入力されたRGB色信号をこの3次元直交座標上でOとすると、Oを含む単位立方体が存在し、その頂点Pk〜Pwは格子点に記憶されている出力値であるとする。また、単位立方体においてOを通りRGB各軸に垂直に交わる平面で分割すると8個の直方体ができる。この直方体の体積を頂点Pxに対応させてVxとし、Oの位置に相当する出力値をOoutとすると以下の数式により補間値が求められる。
【００４６】
Ｏｏｕｔ＝（（Ｐｋ×Ｖｗ）＋（Ｐｒ×Ｖｃ）＋（Ｐｇ×Ｖｍ）＋（Ｐｂ×Ｖｙ）
＋（Ｐｃ×Ｖｒ）＋（Ｐｍ×Ｖｇ）＋（Ｐｙ×Ｖｂ）＋（Ｐｗ×Ｖｋ））
／（Ｖｗ＋Ｖｃ＋Ｖｍ＋Ｖｙ＋Ｖｒ＋Ｖｇ＋Ｖｂ＋Ｖｋ）
【００４７】
８．四面体補間演算
図１１は3次元テーブルの単位立方体と、四面体補間の概念を示す図である。Dr、Dg、Dbは単位立方体内Oにより定まる規格化された各軸方向の距離である。単位立方体は6つの四面体に分割され、Oがどの領域に属するかは図１２の四面体の境界条件表で決まる。Oが図１１中に示す領域に属する場合、以下の数式により補間値Ooutが求められる。
【００４８】
Oout=Pk+Dr×(Pm−Pb)+Dg×(Pb−Pk)+Db×(Pw−Pm)
【図面の簡単な説明】
【００４９】
【図１】本実施形態に係る画像形成システムのハードウエア構成の一例を示す図である。
【図２】画像処理装置１００のソフトウエア構成の一例を示す図である。
【図３】プリンタドライバ２０８の内部処理構成を模式化した図である。
【図４】プリンタ用補正処理部３０２の詳細ブロック構成の一例を示す図である。
【図５】プリンタの色再現空間と表示装置の色再現空間との相違を説明するための図である。
【図６】彩度（Ｓ）方向へのガマット圧縮をＳＶ平面において概念的に示す図である。
【図７】カラーマッチング補間演算切り替え処理のフローチャートである。
【図８】RGB軸の3次元テーブルの概念を示す図である。
【図９】グレイ軸近傍に該当する単位立方体の概念を示す図である。
【図１０】立方体補間の概念を示す図である。
【図１１】四面体補間の概念を示す図である。
【図１２】四面体の境界条件表である。
【符号の説明】
【００５０】
１００  画像処理装置
１０１  中央演算処理装置
１０２  ＲＡＭ
１０３  ＲＯＭ
１０４  固定記憶装置
１０５  通信インターフェース
１０６  表示インターフェース
１０７  入力デバイス
１０８  画像形成装置
１０９  表示装置
【図１】
2009118156.tif 000004
【図２】
2009118156.tif 000005
【図３】
2009118156.tif 000006
【図４】
2009118156.tif 000007
【図５】
2009118156.tif 000008
【図６】
2009118156.tif 000009
【図７】
2009118156.tif 000010
【図８】
2009118156.tif 000011
【図９】
2009118156.tif 000012
【図１０】
2009118156.tif 000013
【図１１】
2009118156.tif 000014
【図１２】
2009118156.tif 000015